(57)【要約】【課題】導光板２３を確実に保持すると共に、装置全体の薄型化を図る。【解決手段】導光板２３は、出射面２３ｂに隣り合う側面の少なくとも一部が、出射面２３ｂの法線方向に対して傾斜した傾斜面３１，３２に形成され、フレーム２４の内壁面には、傾斜面３１，３２の一部に当接して導光板２３を係止する係止爪４１，４２が突出して形成されている。【選択図】図１
2008020749.tif 000002
【特許請求の範囲】
【請求項１】
液晶パネルと、該液晶パネルに光を供給するバックライトユニットとを備えた液晶表示装置であって、
前記バックライトユニットは、入射面から入射した光を拡散して出射面から出射する導光板と、前記入射面に対向して配置された光源と、前記導光板を保持する略枠状のフレームとを有し、
前記導光板は、前記出射面に隣り合う側面の少なくとも一部が、前記出射面の法線方向に対して傾斜した傾斜面に形成され、
前記フレームの内壁面には、前記傾斜面の一部に当接して前記導光板を係止する係止爪が突出して形成されている
ことを特徴とする液晶表示装置。
【請求項２】
請求項１において、
前記傾斜面は、前記液晶パネル側へ向くように傾斜した第１傾斜領域と、前記液晶パネルとは反対側へ向くように傾斜した第２傾斜領域とを有し、
前記第１傾斜領域には第１係止爪が当接する一方、前記第２傾斜領域には第２係止爪が当接している
ことを特徴とする液晶表示装置。
【請求項３】
請求項２において、
前記傾斜面は、前記導光板の入射面に隣り合う２つの側面にそれぞれ形成され、
前記第１傾斜領域は、前記各側面における前記光源側の領域に形成される一方、前記第２傾斜領域は、前記各側面における前記光源とは反対側の領域に形成されている
ことを特徴とする液晶表示装置。
【請求項４】
請求項２において、
前記フレームは、前記第１係止爪が形成された第１層部分と、前記第１層部分の前記液晶パネルとは反対側に積層され、前記第２係止爪が形成された第２層部分とにより構成されている
ことを特徴とする液晶表示装置。
【請求項５】
請求項１において、
前記液晶パネルには、前記光源が装着されたフレキシブルプリント基板が接続され、
前記光源は、該光源が前記導光板の入射面に対向するように前記フレキシブルプリント基板が曲げられた状態で、前記フレームに保持されている
ことを特徴とする液晶表示装置。
【請求項６】
請求項１において、
前記係止爪は、前記導光板の出射面の法線方向における断面が三角形に形成されている
ことを特徴とする液晶表示装置。
【請求項７】
請求項１において、
前記係止爪は、前記導光板の出射面の法線方向における断面が四角形に形成されている
ことを特徴とする液晶表示装置。
【請求項８】
請求項１において、
前記係止爪は、前記傾斜面に点接触している
ことを特徴とする液晶表示装置。
【発明の詳細な説明】
【技術分野】
【０００１】
本発明は、バックライトユニットを有する液晶表示装置に関するものである。
【背景技術】
【０００２】
近年、液晶表示装置は薄型の表示装置として、種々の分野で利用されている。例えば、携帯電話等のモバイル機器の表示装置として利用される場合等には、特に、装置全体を薄型化することが強く望まれている。
【０００３】
液晶表示装置には、周囲の外光を反射することにより反射表示を行う反射型液晶表示装置と、光源装置であるバックライトユニットからの光を透過して透過表示を行う透過型液晶表示装置とが一般に知られている。また、反射表示及び透過表示の双方を行う透過反射型の液晶表示装置も知られている。透過表示を行う上記透過型液晶表示装置及び透過反射型の液晶表示装置は、使用環境が比較的暗い場合であっても明確に表示を視認できる反面、バックライトユニットを備えるために装置全体の厚みが比較的大きくなることが避けられない。すなわち、バックライトユニットを備えた液晶表示装置には、薄型化することが難しいという問題がある。
【０００４】
ここで、透過型液晶表示装置は、例えば特許文献１等に開示されているように、一対の基板の間に液晶層が封入された液晶パネルと、液晶パネルの背面側（つまり、観察者と反対側）に配置されたバックライトユニットとを備えている。バックライトユニットは、ランプ等の光源と、光を拡散させる導光板と、これら光源及び導光板を保持する枠状のフレームとを有している。そのことにより、導光板に対する光源の位置は、フレームによって固定されている。
【０００５】
さらに、上記バックライトユニットと液晶パネルとを互いに重ねた状態で、これらを一対のベゼルによって挟んで固定保持することにより、全体を液晶表示装置としてモジュール化している。すなわち、導光板は、液晶パネルと共に２つのベゼルによって、その厚み方向に狭持されている。
【０００６】
一方、特許文献２には、バックライトユニットにおける導光板の支持構造として、導光板の一方の表面側部を薄くして段差状に形成し、その導光板の段差部分を枠状の支持体と窓枠とによって狭持することが開示されている。そのことにより、導光板を狭持する部分における厚みを低減している。
【特許文献１】特開平８−１５６９９号公報
【特許文献２】実開平４−１２６２２２号公報
【発明の開示】
【発明が解決しようとする課題】
【０００７】
上記特許文献１の液晶表示装置では、導光板を固定するために２つのベゼルが必要となるので、その２つのベゼルの厚みだけ液晶表示装置全体の厚みも大きくなり、薄型化を図ることが難しいという問題がある。
【０００８】
一方、特許文献２の液晶表示装置では、導光板の側部に段差部分を形成しているが、導光板自体を薄くした場合に段差部分も薄くなるため、その段差部分の強度が低下してしまう。その結果、段差部分において導光板を確実に保持することが難しくなる。すなわち、導光板の段差部分の強度を確保するために、導光板自体の厚みを比較的大きくしなければならないので、装置全体の厚みを例えば１ｍｍ程度にまで薄型化することは難しい。
【０００９】
さらに、導光板に段差部分において、光学的な損失が大きくなると共に、光が乱反射して輝線が生じる結果出射光の強度が不均一になってしまうという問題もある。
【００１０】
また、バックライトユニットの点灯時に導光板が熱膨張するため、段差部分においてフレームとの間に所定のクリアランスを設ける必要がある。そのため、導光板がフレーム内で移動してしまうという問題もある。
【００１１】
本発明は、斯かる諸点に鑑みてなされたものであり、その主たる目的とするところは、導光板を確実に保持すると共に、装置全体の薄型化を図ることにある。
【課題を解決するための手段】
【００１２】
上記の目的を達成するために、この発明では、導光板の側面の少なくとも一部を傾斜面に形成すると共に、その傾斜面の一部に当接する係止爪をフレームに形成するようにした。
【００１３】
具体的に、本発明に係る液晶表示装置は、液晶パネルと、該液晶パネルに光を供給するバックライトユニットとを備えた液晶表示装置であって、前記バックライトユニットは、入射面から入射した光を拡散して出射面から出射する導光板と、前記入射面に対向して配置された光源と、前記導光板を保持する略枠状のフレームとを有し、前記導光板は、前記出射面に隣り合う側面の少なくとも一部が、前記出射面の法線方向に対して傾斜した傾斜面に形成され、前記フレームの内壁面には、前記傾斜面の一部に当接して前記導光板を係止する係止爪が突出して形成されている。
【００１４】
前記傾斜面は、前記液晶パネル側へ向くように傾斜した第１傾斜領域と、前記液晶パネルとは反対側へ向くように傾斜した第２傾斜領域とを有し、前記第１傾斜領域には第１係止爪が当接する一方、前記第２傾斜領域には第２係止爪が当接していることが好ましい。
【００１５】
前記傾斜面は、前記導光板の入射面に隣り合う２つの側面にそれぞれ形成され、前記第１傾斜領域は、前記各側面における前記光源側の領域に形成される一方、前記第２傾斜領域は、前記各側面における前記光源とは反対側の領域に形成されていることが好ましい。
【００１６】
前記フレームは、前記第１係止爪が形成された第１層部分と、前記第１層部分の前記液晶パネルとは反対側に積層され、前記第２係止爪が形成された第２層部分とにより構成されていることが望ましい。
【００１７】
前記液晶パネルには、前記光源が装着されたフレキシブルプリント基板が接続され、前記光源は、該光源が前記導光板の入射面に対向するように前記フレキシブルプリント基板が曲げられた状態で、前記フレームに保持されていてもよい。
【００１８】
前記係止爪は、前記導光板の出射面の法線方向における断面が三角形に形成されていることが好ましい。また、前記係止爪は、前記導光板の出射面の法線方向における断面が四角形に形成されていてもよい。
【００１９】
前記係止爪は、前記傾斜面に点接触していることが好ましい。
【００２０】
−作用−
次に、本発明の作用について説明する。
【００２１】
導光板の出射面に隣り合う側面の少なくとも一部には、その出射面の法線方向に対して傾斜した傾斜面が形成されている。一方、フレームの内壁面には、係止爪が突出して形成されている。そうして、導光板の傾斜面の一部にフレームの係止爪が当接することにより、導光板はフレームに保持されている。
【００２２】
すなわち、フレームによって導光板を固定するようにしたので、２つのベゼルを用いて固定する場合に比べて容易に薄型化を図ることが可能になる。さらに、導光板に固定のための傾斜面を形成するようにしたので、固定のために段差部分を設ける場合に比べて導光板の強度を維持しつつ薄型化することが可能となる。また、傾斜面において光学的な損失や輝線の発生が抑制される。さらに、導光板は傾斜面で係止爪に係止された状態で熱膨張するため、導光板とフレームとの間にクリアランスが設ける必要がない。その結果、導光板のフレーム内での移動が防止される。
【００２３】
そして、液晶表示装置は、バックライトユニットの光が液晶パネルに供給されることにより表示を行う。すなわち、フレームに保持されている光源の光が、導光板の入射面からその導光板に入射する。入射した光は導光板で拡散されて出射面から出射される。導光板から出射された光は液晶パネルへ入射して所望の表示が行われる。
【００２４】
特に、傾斜面として、液晶パネル側へ向くように傾斜した第１傾斜領域と、液晶パネルとは反対側へ向くように傾斜した第２傾斜領域とを形成した場合には、第１傾斜領域に第１係止爪を当接させる一方、第２傾斜領域に第２係止爪を当接させることにより、導光板は第１係止爪及び第２係止爪によって狭持される。
【００２５】
さらに、傾斜面を、導光板の入射面に隣り合う側面に形成し、第１傾斜領域をその側面における光源側の領域に形成すると、導光板の光源側の領域の光は、第１傾斜領域によって液晶パネルとは反対側に拡散する。一方、第２傾斜領域を、導光板の側面における光源とは反対側の領域に形成することにより、前記液晶パネルとは反対側に拡散した光を第２傾斜領域によって液晶パネル側へ拡散する。したがって、導光板に入射した光は効率よく拡散されて出射される。
【００２６】
また、フレームを、第１係止爪が形成された第１層部分と、第２係止爪が形成された第２層部分とによって構成すれば、第２層部分を第１層部分の液晶パネルとは反対側に積層することにより、フレームを容易に形成することが可能になる。
【００２７】
また、光源が装着されたフレキシブルプリント基板が液晶パネルに接続され、光源が導光板の入射面に対向するようにフレキシブルプリント基板が曲げられた状態で、その光源をフレームで保持することにより、装置全体はコンパクトにまとめられる。
【００２８】
係止爪を、導光板の出射面の法線方向における断面が三角形又は四角形に形成すれば、その係止爪の角部分を導光板の傾斜面に当接させることが可能になる。特に、係止爪が傾斜面に点接触していれば、その摩擦抵抗が低減され、導光板の膨張時にその導光板の反りが抑制される。
【発明の効果】
【００２９】
本発明によれば、導光板の側面の少なくとも一部を傾斜面に形成すると共に、その傾斜面の一部に当接する係止爪をフレームに形成するようにしたので、導光板を確実に保持すると共に装置全体の薄型化を図ることができる。さらに、傾斜面において光学的な損失や輝線の発生を抑制することができる。加えて、導光板を傾斜面で係止爪に係止された状態で熱膨張させることができ、導光板とフレームとの間にクリアランスを設ける必要がないため、導光板のフレーム内での移動を防止することができる。
【発明を実施するための最良の形態】
【００３０】
以下、本発明の実施形態を図面に基づいて詳細に説明する。尚、本発明は、以下の実施形態に限定されるものではない。
【００３１】
《発明の実施形態１》
図１〜図６は、本発明の実施形態１を示している。図３は液晶表示装置の概観を示す平面図である。図２は図３におけるII−II線断面図である。図１は液晶パネルを仮想的に除去した状態を示す液晶表示装置の平面図である。
【００３２】
液晶表示装置１は、液晶パネル２と、液晶パネル２の背面側（つまり観察者とは反対側）に配置され、液晶パネル２に光を供給するバックライトユニット３とを備えている。すなわち、液晶表示装置１はバックライトユニット３の光を液晶パネル２に選択的に透過させて透過表示を行う透過型液晶表示装置である。この液晶表示装置１は、例えば携帯電話等のモバイル機器に搭載され、約１ｍｍ程度の厚みに構成されている。
【００３３】
液晶パネル２は、図２に示すように、スイッチング素子であるＴＦＴ（Thin-Film Transistor）が複数形成されたＴＦＴガラス基板１１と、ＴＦＴガラス基板１１に対向して配置された対向ガラス基板１２と、対向ガラス基板１２及びＴＦＴガラス基板１１の間に設けられた液晶層（図示省略）とを備えている。ＴＦＴガラス基板１１及び対向ガラス基板１２は、それぞれ矩形板状に形成されている。
【００３４】
ＴＦＴガラス基板１１はバックライトユニット３側に配置される一方、対向ガラス基板１２は観察者側に配置されている。ＴＦＴガラス基板１１のバックライトユニット３側の表面には、第１偏光板１３が貼り付けられている。また、対向ガラス基板１２の観察者側の表面には、第２偏光板１４が貼り付けられている。
【００３５】
図示を省略するが、対向ガラス基板１２にはカラーフィルタ、共通電極及びブラックマトリクス等が形成されている。一方、ＴＦＴガラス基板１１は、いわゆるアクティブマトリクス基板に構成されている。ＴＦＴガラス基板１１には、図示を省略するが、複数の画素がマトリクス状に配置されている。各画素には、液晶層を駆動するための画素電極（図示省略）と、画素電極を駆動する前記ＴＦＴとがそれぞれ設けられている。
【００３６】
ＴＦＴガラス基板１１は、表示に寄与する表示領域１５と、表示領域１５の周りに形成されて表示に寄与しない額縁領域１６とを有している。液晶パネル２には、ＴＦＴガラス基板１１の一辺側における額縁領域１６に、フレキシブルプリント基板であるメインＦＰＣ１８及びＩ／Ｆ用ＦＰＣ１９が接続されている。メインＦＰＣ１８の裏面側（つまり、バックライトユニット３側）には、ＴＦＴガラス基板１１を駆動するための回路部品２０及びＬＣＤＣ２１等が実装されている。さらに、メインＦＰＣ１８の裏面側には、光源であるＬＥＤ２２が装着されている。ＬＥＤ２２は、例えば２つ並んで配置されている。一方、Ｉ／Ｆ用ＦＰＣ１９は、例えば携帯電話等の本体機器の電源（図示省略）に接続され、液晶表示装置１に駆動電力を供給するようになっている。
【００３７】
バックライトユニット３は、上記ＬＥＤ２２と、導光板２３と、ＬＥＤ２２及び導光板２３を保持する略枠状のフレーム２４とを有している。導光板２３は、図２に示すように、液晶パネル２の背面側でこの液晶パネル２に対向して配置されている。さらに、バックライトユニット３は、導光板２３の出射面２３ｂに設けられた光学シート２５と、導光板２３の裏面（つまり、出射面２３ｂと反対側の表面）２３ｃに設けられた反射シート２６とを有している。
【００３８】
導光板２３は、出射面２３ｂは液晶パネル１０に対向しており、入射面２３ａは導光板２３の４つの側面のうち１つにより構成されている。ＬＥＤ２２は、図２に示すように、ＬＥＤ２２が導光板２３の入射面２３ａに対向するようにメインＦＰＣ１８が曲げられた状態で、フレーム２４に保持されている。すなわち、ＬＥＤ２２は、回路部品２０及びＬＣＤＣ２１と共にフレーム２４の内側に配置されている。そうして、ＬＥＤ２２から出射された光は入射面２３ａから導光板２３の内部へ入射され、導光板２３は、入射面２３ａから入射したＬＥＤ２２の光を拡散して出射面２３ｂから出射するようになっている。
【００３９】
また、導光板２３の入射面２３ａの近傍では、図１及び図２に示すように、導光板２３の厚みが入射面２３ａに近付くに連れて徐々に大きくなるように、液晶パネル２側の表面が傾斜している。
【００４０】
そして、導光板２３は、図１に示すように、出射面２３ｂに隣り合う側面の少なくとも一部が、出射面２３ｂの法線方向に対して傾斜した傾斜面３１，３２に形成されている。特に、傾斜面３１，３２は、導光板２３の入射面２３ａに隣り合う２つの側面に対し、その全体に亘ってそれぞれ形成されている。
【００４１】
上記各側面に形成された傾斜面３１，３２は、図１のVI−VI線断面図である図６に示すように、液晶パネル２側へ向くように傾斜した第１傾斜領域３１と、図１のV−V線断面図である図５に示すように、液晶パネル２とは反対側へ向くように傾斜した第２傾斜領域３２とをそれぞれ有している。図１に示すように、第１傾斜領域３１は、導光板２３の側面におけるＬＥＤ２２側の領域に形成される一方、第２傾斜領域３２は、導光板２３の側面におけるＬＥＤ２２とは反対側の領域に形成されている。
【００４２】
すなわち、導光板２３のＬＥＤ２２側の領域は、反射シート２６側に向かって徐々に幅が広がるように形成されている。一方、導光板２３のＬＥＤ２２と反対側の領域は、液晶パネル２側に向かって徐々に広がるように形成されている。
【００４３】
第１傾斜領域３１の傾斜角度（つまり、導光板２３の出射面２３ｂの法線方向に対する傾斜角度）の大きさは、ＬＥＤ２２側から第２傾斜領域３２へ向かうに連れて徐々に小さくなっている。そして、第１傾斜領域３１と第２傾斜領域３２との境界では、上記法線方向と平行になる。この第１傾斜領域３１と第２傾斜領域３２との境界は、例えば、入射面２３ａに直交する方向における導光板２３の幅の中央位置に形成することが可能である。また、第２傾斜領域３２の傾斜面は、第１傾斜領域３１の傾斜面に連続して形成されている。第２傾斜領域３２は、第１傾斜領域３１とは反対側に傾斜し、第１傾斜領域３１から離れるに連れてその傾斜角度の大きさが徐々に大きくなっている。
【００４４】
このようにして、入射面２３ａから入射したＬＥＤ２２の光の一部を、第１傾斜領域３１を含むＬＥＤ２２側の領域において、その第１傾斜領域３１の傾斜面の内側で反射させて反射シート２６側へ反射させるようになっている。一方、第２傾斜領域３２を含むＬＥＤ２２とは反対側の領域において、反射シート２６で反射した光を液晶パネル２側へ効率よく出射させるようにしている。
【００４５】
フレーム２４は、例えば樹脂等により形成され、図１に示すように、導光板２３の出射面２３ｂの法線方向から見て、略矩形枠状に形成されている。フレーム２４の厚みは、図５及び図６に示すように、導光板２３よりも厚くなっている。また、フレーム２４は、厚み方向の断面図である図４に示すように、その厚み方向に２層の構造を有しており、液晶パネル２側の第１層部分２４ａと、その第１層部分２４ａの液晶パネル２とは反対側に積層された第２層部分２４ｂとにより構成されている。尚、フレーム２４は、樹脂以外にも例えば金属によって形成することも可能である。
【００４６】
また、フレーム２４の内壁面には、導光板２３の傾斜面３１，３２の一部に当接して導光板２３を係止する係止爪４１，４２が突出して形成されている。すなわち、図４及び図６に示すように、フレーム２４の第１層部分２４ａには、導光板２３の第１傾斜領域３１に当接する第１係止爪４１が形成されている。一方、図４及び図５に示すように、フレーム２４の第２層部分２４ｂには、導光板２３の第２傾斜領域３２に当接する第２係止爪４２が形成されている。
【００４７】
第１係止爪４１及び第２係止爪４２は、導光板２３の出射面２３ｂの法線方向における断面が三角形に形成されている。例えば、図１に示すように、その三角形の１つの辺が、第１傾斜領域３１又は第２傾斜領域３２の液晶パネル２側の稜線に沿って延びるように形成することが好ましい。そうして、第１係止爪４１及び第２係止爪４２は、フレーム２４から突出している１つの角部において、第１傾斜領域３１又は第２傾斜領域３２の傾斜面３１，３２に点接触している。そのことにより、導光板２３は第１係止爪４１及び第２係止爪４２によって係止されている。
【００４８】
ここで、液晶表示装置１の厚みについて説明すると、第１偏光板１３及び第２偏光板１４の厚みはそれぞれ０．１５０ｍｍであり、ＴＦＴガラス基板１１の厚みは０．１５０ｍｍであり、対向ガラス基板１２の厚みは０．０７５ｍｍである。光学シート２５は０．１０ｍｍであり、導光板２３は０．３１０ｍｍであり、反射シート２６は０．０６５ｍｍになっている。したがって、液晶表示装置１の厚みは合計で１ｍｍになっている。尚、ＬＥＤ２２の厚みは０．４０ｍｍであり、メインＦＰＣ１８の厚みは０．０８０ｍｍである。
【００４９】
以上の構成により、液晶表示装置１が透過表示を行う場合には、ＬＥＤ２２から光が入射面２３ａを介して導光板２３の内部へ供給される。導光板２３の内部に入射した光は、導光板２３の内部で反射を繰り返して拡散される。特に、導光板２３の第１傾斜領域３１を含むＬＥＤ２２側の領域では、光の一部がその傾斜面３１，３２の内側で反射して、反射シート２６側へ効率よく向かう。光の他の一部はこのＬＥＤ２２側の領域から液晶パネル２側へ出射する。
【００５０】
一方、反射シート２６で反射した光、及び導光板２３の裏面２３ｃの内側で反射された光は、第２傾斜領域３２を含むＬＥＤ２２とは反対側の領域において、液晶パネル２側へ効率よく出射する。その結果、導光板に入射したほとんどの光は、入射面２３ａからそれに対向する側面へ一方向に進むうちに液晶パネル２側へ出射されることとなる。
【００５１】
導光板２３の出射面２３ｂから出射した光は、光学シートで変調された後に、液晶パネル２へ入射する。液晶パネル２では所望の光を選択的に透過させることによって、表示が行われる。尚、このとき、液晶パネル２における各画素の駆動は、回路部品２０及びＬＣＤＣ２１によって制御される。
【００５２】
−実施形態１の効果−
したがって、この実施形態１によると、導光板２３の側面の第１傾斜領域３１及び第２傾斜領域３２を傾斜面３１，３２に形成すると共に、その第１傾斜領域３１の傾斜面に当接する第１係止爪４１をフレーム２４の第１層部分２４ａに形成する一方、第２傾斜領域３２の傾斜面に当接する第２係止爪４２をフレーム２４の第２層部分２４ｂに形成したので、導光板２３を各係止爪４１，４２によって確実に保持することができる。
【００５３】
さらに、フレーム２４の各係止爪４１，４２によって導光板２３を固定するようにしたので、導光板２３を第１係止爪４１及び第２係止爪４２によって狭持することができ、従来のように２つのベゼルを用いて固定する場合に比べて容易に薄型化を図ることができる。また、導光板２３に固定のための傾斜面３１，３２を形成したので、従来のように固定のために段差部分を設ける場合に比べて、導光板２３の強度を維持しつつ薄型化を図ることが可能となり、装置全体の薄型化を図ることができる。
【００５４】
さらに、導光板２３の係止される部分を傾斜面３１，３２によって構成したので、導光板２３の内部における光の進行をなるべく阻害しないようにして、その係止保持部分における光学的な損失や輝線の発生を抑制することができる。
【００５５】
加えて、導光板２３の温度が上昇した場合に、導光板２３をその傾斜面３１，３２で係止爪４１，４２に係止された状態で熱膨張させることができる。その結果、導光板２３とフレーム２４との間にクリアランスを設ける必要がないため、導光板２３のフレーム２４内での移動を防止することができる。
【００５６】
特に、係止爪４１，４２が傾斜面３１，３２に点接触しているので、その摩擦抵抗を低減して、導光板２３の膨張時にその導光板２３の反りを抑制することができる。
【００５７】
さらに、導光板２３におけるＬＥＤ２２側の領域に一対の第１傾斜領域３１を形成することにより、導光板２３の傾斜面３１の内側を、反射シート２６側に向かうように傾斜させることができる。その結果、導光板２３のＬＥＤ２２側の領域では、光の一部をその傾斜面３１の内側で反射させて、反射シート２６側へ効率よく向かわせて拡散させることができる。
【００５８】
一方、導光板２３におけるＬＥＤ２２とは反対側の領域に一対の第２傾斜領域３２を形成することにより、導光板２３の傾斜面３２の内側を、液晶パネル２側に向かうように傾斜させることができる。その結果、導光板２３のＬＥＤ２２とは反対側の領域では、反射シート２６で反射した光、及び導光板２３の裏面２３ｃの内側で反射された光を、液晶パネル２側へ効率よく出射させることができる。その結果、導光板２３に入射したほとんどの光は、入射面２３ａからそれに対向する側面へ一方向に進むうちに、効率的に拡散させて液晶パネル２側へ出射させることができる。
【００５９】
また、フレーム２４を、第１係止爪４１が形成された第１層部分２４ａと、第２係止爪４２が形成された第２層部分２４ｂとによって構成したので、このような第１係止爪４１及び第２係止爪４２を有するフレームを容易に形成することができる。
【００６０】
さらに、ＬＥＤ２２が装着されたメインＦＰＣ１８を、ＬＥＤ２２が導光板２３の入射面２３ａに対向するように曲げた状態で、そのＬＥＤ２２をフレーム２４によって保持するようにしたので、装置全体をコンパクトにまとめることができる。
【００６１】
《発明の実施形態２》
図７及び図８は、本発明の実施形態２を示している。尚、以降の実施形態では、図１〜図６と同じ部分については同じ符号を付して、その詳細な説明を省略する。
【００６２】
上記実施形態１では、第１係止爪４１及び第２係止爪４２について、導光板２３の出射面２３ｂの法線方向の断面を三角形に形成した。これに対して、本実施形態２では、フレーム２４の平面図である図７に示すように、第１係止爪４１及び第２係止爪４２が、前記出射面２３ｂの法線方向の断面が四角形に形成されている。
【００６３】
図７のVIII−VIII線断面図である図８に示すように、第１係止爪４１はフレーム２４の第１層部分２４ａに形成される一方、第２係止爪４２はフレーム２４の第２層部分２４ｂに形成されている。これら各係止爪４１，４２は、上記実施形態１と同じ位置に形成されている。そうして、第１係止爪４１は、第１傾斜領域３１の傾斜面に点接触して、導光板２３を係止する一方、第２係止爪４２は、第２傾斜領域３２の傾斜面に点接触して、導光板２３を係止する。
【００６４】
したがって、このように各係止爪４１，４２の断面形状を四角形に形成しても、上記実施形態１と同様の効果を得ることができる。尚、各係止爪４１，４２の形状は、三角形及び四角形に限定されるものではなく、それ以外の形状によって導光板２３を係止するように構成してもよい。この場合、導光板２３の傾斜面３１，３２の一部を係止爪４１，４２によって係止すればよいが、面接触よりは線接触の方が好ましく、さらに点接触の方が望ましい。導光板２３の熱膨張の際に、導光板２３に対する摩擦抵抗を低減できるためである。
【００６５】
《その他の実施形態》
上記液晶表示装置１について、フレーム２４及び反射シート２６を覆うベゼルを設けるようにしてもよい。ベゼルは例えばＭｇ等の金属板によって形成することができ、これによって、フレーム２４及び反射シート２６等を保持すると共に保護することができる。特にＭｇ材料によってベゼルを形成すれば、装置に加わる衝撃やの振動を低減できる点で好ましい。また、光源の例としてＬＥＤ２２を挙げたがその他に蛍光ランプ等の光源を適用することも可能である。
【００６６】
また、上記各実施形態では、第１傾斜領域３１を導光板２３のＬＥＤ２２側の領域に形成する一方、第２傾斜領域３２を導光板２３のＬＥＤ２２とは反対側に形成するようにしたが、本発明はこれに限らない。すなわち、導光板２３のＬＥＤ２２側の領域と、ＬＥＤ２２とは反対側の領域とにおいて、傾斜面３１，３２の勾配が逆になるように構成してもよい。例えば、導光板２３の一方の側面において、ＬＥＤ２２側に第１傾斜領域３１を形成すると共にＬＥＤ２２と反対側に第２傾斜領域３２を形成する。さらに、導光板２３の他方の側面において、上記とは逆に、ＬＥＤ２２側に第２傾斜領域３２を形成すると共にＬＥＤ２２側とは反対側に第１傾斜領域３１を形成することが可能である。このとき、フレーム２４には、第１傾斜領域３１に対応して第１係止爪４１を形成する一方、第２傾斜領域３２に対応して第２係止爪４２を形成する。このようにしても、フレーム２４の各係止爪４１，４２によって導光板２３を係止保持することが可能になる。
【００６７】
また、導光板２３の側面に対し、第１傾斜領域３１及び第２傾斜領域を合計で３つ以上形成するようにしてもよい。例えば、ＬＥＤ２２側から順に、第１傾斜領域３１及び第２傾斜領域３２を交互に４つ配置させるようにしてもよい。このようにしても、上記実施形態１と同様の効果を得ることができる。
【産業上の利用可能性】
【００６８】
以上説明したように、本発明は、バックライトユニットを有する液晶表示装置について有用であり、特に、導光板を確実に保持すると共に、装置全体の薄型化を図る場合に適している。
【図面の簡単な説明】
【００６９】
【図１】実施形態１の液晶表示装置における液晶パネルを省略して示す平面図である。
【図２】図３におけるII−II線断面図である。
【図３】液晶表示装置の概観を示す平面図である。
【図４】実施形態１におけるフレームを示す断面図である。
【図５】図１におけるV−V線断面図である。
【図６】図１におけるVI−VI線断面図である。
【図７】実施形態２のフレームの外観を示す平面図である。
【図８】図７におけるVIII−VIII線断面図である。
【符号の説明】
【００７０】
１      液晶表示装置
２      液晶パネル
３      バックライトユニット
１０      液晶パネル
１１      ＴＦＴガラス基板
１２      対向ガラス基板
１８      メインＦＰＣ
１９      Ｉ／Ｆ用ＦＰＣ
２２      ＬＥＤ（光源）
２３      導光板
２３ａ    入射面
２３ｂ    出射面
２３ｃ    裏面
２４      フレーム
２４ａ    第１層部分
２４ｂ    第２層部分
２５      光学シート
２６      反射シート
３１      第１傾斜領域（傾斜面）
３２      第２傾斜領域（傾斜面）
４１      第１係止爪
４２      第２係止爪  
【図１】
2008020749.tif 000003
【図２】
2008020749.tif 000004
【図３】
2008020749.tif 000005
【図４】
2008020749.tif 000006
【図５】
2008020749.tif 000007
【図６】
2008020749.tif 000008
【図７】
2008020749.tif 000009
【図８】
2008020749.tif 000010